(57)【要約】【課題】  顔料、樹脂エマルジョン、水溶性有機溶剤および水を含有するインクを用いて記録を行う際、粒状感を抑制しつつ、顔料の偏在特性が高いことに由来する画像の発色性の低下を抑制する。【解決手段】  顔料の偏在特性が相対的に高いインクのドット連結度が顔料の偏在特性が相対的に低いインクのドット連結度よりも大きくなるようにインクの吐出を制御する。【選択図】  図１６
2015104827.tif 000002
【特許請求の範囲】
【請求項１】
顔料、樹脂エマルジョン、水溶性有機溶剤および水を少なくとも含有する第１のインクと、顔料、樹脂エマルジョン、水溶性有機溶剤および水を少なくとも含有し、前記第１のインクよりも記録媒体上に形成されたドットにおける顔料の偏在特性が高い第２のインクと、を少なくとも含む複数のインクを吐出する記録ヘッドと前記記録媒体との走査方向への相対的な走査を前記記録媒体上の単位領域に対して複数回行いながらインクを吐出するための記録データを生成する画像処理装置であって、
前記単位領域内の複数の画素相当の小領域それぞれに対し前記第１のインクの吐出または非吐出を定める第１の画像データと、前記単位領域内の複数の前記小領域それぞれに対し前記第２のインクの吐出または非吐出を定める第２の画像データと、を取得する取得手段と、
前記複数回の走査のそれぞれに対応し、記録許容画素と非記録許容画素が配置されたそれぞれ複数の第１、第２のマスクパターンに基づいて前記第１、第２の画像データから前記複数回の走査のそれぞれにおける記録に用いられる複数の第１、第２の前記記録データを生成する生成手段と、を備え、
前記複数の第２のマスクパターンのうちの１つのマスクパターン内の所定の画素数から構成される評価領域に配置された、互いに隣接して配置された複数の記録許容画素により構成される記録許容画素群および他の記録許容画素と隣接しない記録許容画素のそれぞれを１つの単位とした場合の、前記単位内の前記記録許容画素の数の平均は、前記複数の第１のマスクパターンのうちの１つのマスクパターン内の前記評価領域に配置された前記単位内の前記記録許容画素の数の平均よりも多いことを特徴とする画像処理装置。
【請求項２】
前記複数のインクは、顔料、樹脂エマルジョン、水溶性有機溶剤および水を少なくとも含有し、前記第２のインクよりも記録媒体上に形成されたドットにおける顔料の偏在特性が高い第３のインクを更に含み、
前記取得手段は、前記単位領域内の複数の前記小領域それぞれに対し前記第３のインクの吐出を定める第３の画像データを更に取得し、
前記生成手段は、前記複数回の走査のそれぞれに対応し、記録許容画素と非記録許容画素が配置されたそれぞれ複数の第３のマスクパターンに基づいて前記第３の画像データから前記複数回の走査のそれぞれにおける記録に用いられる複数の第３の前記記録データを更に生成し、
前記複数の第３のマスクパターンのうちの１つのマスクパターン内の前記評価領域に配置された前記単位内の前記記録許容画素の数の平均は、前記複数の第２のマスクパターンのうちの１つのマスクパターン内の前記評価領域に配置された前記単位内の前記記録許容画素の数の平均よりも多いことを特徴とする請求項１に記載の画像処理装置。
【請求項３】
前記顔料の偏在特性は、１滴のインクにより記録媒体上に形成されたドットにおける中心領域の顔料の量により評価することを特徴とする請求項１または２に記載の画像処理装置。
【請求項４】
前記顔料の偏在特性は、１滴のインクにより記録媒体上に形成されたドットにおける色強度が相対的に低い低発色領域の面積に対する色強度が相対的に高い高発色領域の面積の比率により評価することを特徴とする請求項１から３のいずれか１項に記載の画像処理装置。
【請求項５】
前記比率が低いほど前記顔料の偏在特性が高いことを特徴とする請求項４に記載の画像処理装置。
【請求項６】
顔料、樹脂エマルジョン、水溶性有機溶剤および水を少なくとも含有する第１のインクと、顔料、樹脂エマルジョン、水溶性有機溶剤および水を少なくとも含有し、前記第１のインクよりも記録媒体上に形成されたドットの表面粗さが大きい第２のインクと、を少なくとも含む複数のインクを吐出する記録ヘッドと前記記録媒体との走査方向への相対的な走査を前記記録媒体上の単位領域に対して複数回行いながらインクを吐出するための記録データを生成する画像処理装置であって、
前記単位領域内の複数の画素相当の小領域それぞれに対し前記第１のインクの吐出または非吐出を定める第１の画像データと、前記単位領域内の複数の前記小領域それぞれに対し前記第２のインクの吐出または非吐出を定める第２の画像データと、を取得する取得手段と、
前記複数回の走査のそれぞれに対応し、記録許容画素と非記録許容画素が配置されたそれぞれ複数の第１、第２のマスクパターンに基づいて前記第１、第２の画像データから前記複数回の走査のそれぞれにおける記録に用いられる複数の第１、第２の前記記録データを生成する生成手段と、を備え、
前記複数の第２のマスクパターンのうちの１つのマスクパターン内の所定の画素数から構成される評価領域に配置された、互いに隣接して配置された複数の記録許容画素により構成される記録許容画素群および他の記録許容画素と隣接しない記録許容画素のそれぞれを１つの単位とした場合の、前記単位内の前記記録許容画素の数の平均は、前記複数の第１のマスクパターンのうちの１つのマスクパターン内の前記評価領域に配置された前記単位内の前記記録許容画素の数の平均よりも多いことを特徴とする画像処理装置。
【請求項７】
前記複数のインクは、顔料、樹脂エマルジョン、水溶性有機溶剤および水を少なくとも含有し、前記第２のインクよりも記録媒体上に形成されたドットの表面粗さが大きい第３のインクを更に含み、
前記取得手段は、前記単位領域内の複数の前記小領域それぞれに対し前記第３のインクの吐出を定める第３の画像データを更に取得し、
前記生成手段は、前記複数回の走査のそれぞれに対応し、記録許容画素と非記録許容画素が配置されたそれぞれ複数の第３のマスクパターンに基づいて前記第３の画像データから前記複数回の走査のそれぞれにおける記録に用いられる複数の第３の前記記録データを更に生成し、
前記複数の第３のマスクパターンのうちの１つのマスクパターン内の前記評価領域に配置された前記単位内の前記記録許容画素の数の平均は、前記複数の第２のマスクパターンのうちの１つのマスクパターン内の前記評価領域に配置された前記単位内の前記記録許容画素の数の平均よりも多いことを特徴とする請求項６に記載の画像処理装置。
【請求項８】
前記表面粗さは、１滴のインクにより記録媒体上に形成されたドットを測定することにより得られるＪＩＳ  Ｂ０６０１に記載の算術平均粗さであることを特徴とする請求項６または７に記載の画像処理装置。
【請求項９】
顔料、樹脂エマルジョン、水溶性有機溶剤および水を少なくとも含有する第１のインクと、顔料、樹脂エマルジョン、水溶性有機溶剤および水を少なくとも含有し、前記第１のインクよりも顔料と水溶性有機溶剤の親和性が低い第２のインクと、を少なくとも含む複数のインクを吐出する記録ヘッドと前記記録媒体との走査方向への相対的な走査を前記記録媒体上の単位領域に対して複数回行いながらインクを吐出するための記録データを生成する画像処理装置であって、
前記単位領域内の複数の画素相当の小領域それぞれに対し前記第１のインクの吐出または非吐出を定める第１の画像データと、前記単位領域内の複数の前記小領域それぞれに対し前記第２のインクの吐出または非吐出を定める第２の画像データと、を取得する取得手段と、
前記複数回の走査のそれぞれに対応し、記録許容画素と非記録許容画素が配置されたそれぞれ複数の第１、第２のマスクパターンに基づいて前記第１、第２の画像データから前記複数回の走査のそれぞれにおける記録に用いられる複数の第１、第２の前記記録データを生成する生成手段と、を備え、
前記複数の第２のマスクパターンのうちの１つのマスクパターン内の所定の画素数から構成される評価領域に配置された、互いに隣接して配置された複数の記録許容画素により構成される記録許容画素群および他の記録許容画素と隣接しない記録許容画素のそれぞれを１つの単位とした場合の、前記単位内の前記記録許容画素の数の平均は、前記複数の第１のマスクパターンのうちの１つのマスクパターン内の前記評価領域に配置された前記単位内の前記記録許容画素の数の平均よりも多いことを特徴とする画像処理装置。
【請求項１０】
前記複数のインクは、顔料、樹脂エマルジョン、水溶性有機溶剤および水を少なくとも含有し、前記第２のインクよりも顔料と水溶性有機溶剤の親和性が低い第３のインクを更に含み、
前記取得手段は、前記単位領域内の複数の前記小領域それぞれに対し前記第３のインクの吐出を定める第３の画像データを更に取得し、
前記生成手段は、前記複数回の走査のそれぞれに対応し、記録許容画素と非記録許容画素が配置されたそれぞれ複数の第３のマスクパターンに基づいて前記第３の画像データから前記複数回の走査のそれぞれにおける記録に用いられる複数の第３の前記記録データを更に生成し、
前記複数の第３のマスクパターンのうちの１つのマスクパターン内の前記評価領域に配置された前記単位内の前記記録許容画素の数の平均は、前記複数の第２のマスクパターンのうちの１つのマスクパターン内の前記評価領域に配置された前記単位内の前記記録許容画素の数の平均よりも多いことを特徴とする請求項９に記載の画像処理装置。
【請求項１１】
前記第１、第２のインクは、前記第２のインクから水が減少した場合における前記第２のインクの前記顔料の粒子径の変化が前記第１のインクから水が減少した場合における前記第１のインクの前記顔料の粒子径の変化よりも大きい性質を有することを特徴とする請求項９または１０に記載の画像処理装置。
【請求項１２】
前記第１、第２のインクは、前記第２のインクから水が減少した場合における前記第２のインクの粘度値の変化が前記第１のインクから水が減少した場合における前記第１のインクの粘度値の変化よりも大きい性質を有することを特徴とする請求項９または１０に記載の画像処理装置。
【請求項１３】
前記複数の第２のマスクパターンのそれぞれの前記評価領域に配置された前記単位内の前記記録許容画素の数の平均は、いずれも前記複数の第１のマスクパターンのそれぞれの前記評価領域に配置された前記単位内の前記記録許容画素の数の平均よりも多いことを特徴とする請求項１から１２のいずれか１項に記載の画像処理装置。
【請求項１４】
前記複数の第２のマスクパターンのそれぞれの前記評価領域に配置された前記記録許容画素の数の合計は、前記複数の第１のマスクパターンのそれぞれの前記評価領域に配置された前記記録許容画素の数の合計とほぼ等しいことを特徴とする請求項１から１３のいずれか１項に記載の画像処理装置。
【請求項１５】
前記複数の第２のマスクパターンのそれぞれは、互いにほぼ同じ数の前記記録許容画素が配置されていることを特徴とする請求項１から１４のいずれか１項に記載の画像処理装置。
【請求項１６】
前記複数の第２のマスクパターンのうちの少なくとも１つのマスクパターンは、前記記録許容画素が配置されていないことを特徴とする請求項１から１４のいずれか１項に記載の画像処理装置。
【請求項１７】
前記樹脂エマルジョンは、加熱により皮膜化する性質を有することを特徴とする請求項１から１６のいずれか１項に記載の画像処理装置。
【請求項１８】
前記記録媒体を加熱する加熱手段を更に備えることを特徴とする請求項１７に記載の画像処理装置。
【請求項１９】
前記記録媒体は、基材と、前記基材上に形成された塩化ビニルの層と、を有することを特徴とする請求項１から１８のいずれか１項に記載の画像処理装置。
【請求項２０】
顔料、樹脂エマルジョン、水溶性有機溶剤および水を少なくとも含有する第１のインクと、顔料、樹脂エマルジョン、水溶性有機溶剤および水を少なくとも含有し、前記第１のインクよりも記録媒体上に形成されたドットにおける顔料の偏在特性が高い第２のインクと、を少なくとも含む複数のインクを吐出する記録ヘッドと、
前記記録ヘッドと前記記録媒体との走査方向への相対的な走査を前記記録媒体上の単位領域に対して複数回行う走査手段と、
前記走査手段による走査を伴って前記単位領域に対して前記記録ヘッドから前記第１、第２のインクを吐出するように、前記第１、第２のインクの吐出を制御する制御手段と、を有する記録装置であって、
前記制御手段は、所定の前記走査で前記単位領域上に形成された前記第２のインクのドットにおけるドット連結度が前記所定の走査で前記単位領域上に形成された前記第１のインクのドットにおけるドット連結度よりも大きくなるように、前記第１、第２のインクの吐出を制御することを特徴とする画像記録装置。
【請求項２１】
顔料、樹脂エマルジョン、水溶性有機溶剤および水を少なくとも含有する第１のインクと、顔料、樹脂エマルジョン、水溶性有機溶剤および水を少なくとも含有し、前記第１のインクよりも記録媒体上に形成されたドットにおける顔料の偏在特性が高い第２のインクと、を少なくとも含む複数のインクを吐出する記録ヘッドと前記記録媒体との走査方向への相対的な走査を前記記録媒体上の単位領域に対して複数回行い、前記走査を伴って前記単位領域に対して前記記録ヘッドから前記第１、第２のインクを吐出するように、前記第１、第２のインクの吐出を制御する制御して記録を行う記録方法であって、
所定の前記走査で前記単位領域上に形成された前記第２のインクのドットにおけるドット連結度が前記所定の走査で前記単位領域上に形成された前記第１のインクのドットにおけるドット連結度よりも大きくなるように、前記第１、第２のインクの吐出を制御することを特徴とする画像記録方法。
【発明の詳細な説明】
【技術分野】
【０００１】
本発明は画像処理装置、記録装置および記録方法に関する。
【背景技術】
【０００２】
インクを吐出するための複数の吐出口を配列した記録ヘッドを記録媒体に対して走査させながらインクを吐出する記録走査と、記録媒体の搬送を行う副走査とを繰り返し行い、記録媒体上に画像を形成する記録方法が従来より知られている。このような記録方法では、記録媒体上の単位領域に対して複数回の記録走査を行う、いわゆるマルチパス記録方式が一般に用いられる。
【０００３】
このようなマルチパス記録方式においては、得られる画像の粒状感を低減するために、一般に１回の走査では複数のインク滴を互いに離間した位置に吐出することが知られている。特許文献１には、複数の走査それぞれでの記録位置を定めるマスクパターンとして記録許容画素のパターンの低周波成分が高周波成分よりも少ないマスクパターンを使用して記録を行うことが開示されている。
【０００４】
一方、近年では上述のような記録方法において様々な種類のインクや記録媒体が使用されている。特許文献２には、顔料、樹脂エマルジョンおよび水溶性有機溶剤を含有するインクと難吸水性の記録媒体を用い、インクを記録媒体上に着弾させた際にインクに熱を加え、記録媒体の表面にて樹脂エマルジョンを皮膜化することで定着を行う方法が開示されている。
【先行技術文献】
【特許文献】
【０００５】
【特許文献１】特開２００６−０４４２５８号公報
【特許文献２】特開２０１２−０７２３５４号公報
【発明の概要】
【発明が解決しようとする課題】
【０００６】
しかしながら、上述の顔料、樹脂エマルジョンおよび水溶性有機溶剤を含有するインクを用いて記録を行う場合、使用するインクの種類によっては十分な発色性を得られない虞があることが分かった。
【０００７】
以下にこの課題に対する推定メカニズムについて詳細に説明する。
【０００８】
図１は、記録媒体上にインクを１滴吐出して形成されたインク滴が定着するまでの過程を説明するための図である。
【０００９】
図１（ａ）は記録媒体上にインク滴が形成された直後におけるインク滴の様子を示す図である。
【００１０】
形成された直後のインク滴の内部には、顔料７１や樹脂エマルジョン７２はインク滴全体に特に偏りなく一様に分布している。また、溶媒である不図示の水や水溶性有機溶剤も同様にインク滴内にわたって一様に分布している。この状態のインク滴に対し熱を加えることで溶媒の蒸発や樹脂エマルジョンの皮膜化が開始される。
【００１１】
図１（ｂ）は図１（ａ）に示す状態にあるインク滴を加熱し、ある程度時間が経過した際のインク滴の様子を示す図である。
【００１２】
この段階では、図中の矢印に示すように溶媒の蒸発が発生している。溶媒の蒸発はインク滴と空気の境界面７３（以下、気液境界面７３とも称する）で生じるため、インク滴に含有される溶媒は一様に蒸発するのではなく、気液境界面７３の近傍にある溶媒から優先的に蒸発する。ここで、一般に水溶性有機溶剤は水よりも高い沸点を有するため、気液境界面７３の近傍では水の蒸発から先に発生する。この結果、図１（ｂ）に示すインク滴の定着の途中の段階では、インク滴内における水溶性有機溶剤の分布に偏りが生じ、気液境界面７３において溶媒に対する水溶性有機溶剤の存在比率が相対的に高くなる。
【００１３】
ここで、一般に顔料７１は水への分散安定性が求められるため、顔料粒子の表面を官能基や親水性の樹脂等にて親水化処理し、水への親和性が高められている。一方、樹脂エマルジョン７２は顔料に比べると水への親和性は低い。この顔料７１と樹脂エマルジョン７２との水への親和性の違いにより、図１（ｂ）に示すような水溶性有機溶剤の分布に偏りが生じる系においては、顔料７１は水の存在比率が相対的に高いインク滴の中心領域に、また、樹脂エマルジョン７２は水溶性有機溶剤の存在比率が相対的に低い気液境界面７３の近傍領域に移動する。
【００１４】
図１（ｃ）は図１（ｂ）に示す状態にあるインクを更に加熱し、インク滴が定着してドットが形成された際のドットの様子を示す図である。
【００１５】
上述したように、顔料７１はインク滴の中心領域に移動する傾向があるため、形成されたドット内において顔料７１はドットの形成範囲７５よりも狭い範囲７６に偏在する。その一方、樹脂エマルジョン７２は気液境界面に移動するため、形成されたドットの形成範囲７５の全域にわたって存在している。このような顔料７１の偏在により、形成されたドットには発色に寄与する程度が低い低発色領域５０が形成される虞がある。
【００１６】
このドット内における顔料７１の偏在の程度（範囲７６の面積）は、顔料粒子、溶媒、添加材の種類や顔料と水、水溶性有機溶剤との親和性等に応じて異なるため、インクの種類によってこの顔料の偏在の程度は異なってくる。なお、以降の記載では簡単のため、顔料７１の偏在の程度が高い（範囲７６の面積が小さい）インクのことを顔料の偏在特性が高いインクと称する。
【００１７】
図２は図１（ｃ）に示すインク滴が定着した後のドットを記録媒体３の表面に対して鉛直上方から見た様子を示す模式図である。なお、図２（ａ）は顔料の偏在特性が相対的に低いインクを使用した場合に形成されるドットを、また、図２（ｂ）は顔料の偏在特性が相対的に高いインクを使用した場合に形成されるドットを示す。
【００１８】
図２（ｂ）に示すドットは、顔料の偏在特性が相対的に高いインクを使用しているため、図２（ａ）に示すドットにおける低発色領域５１の範囲Ｗ２に比べて広い範囲Ｗ１に低発色領域５３が形成される。この結果、図２（ｂ）に示すドットにおける低発色領域５３に対する高発色領域５２の比率が図２（ａ）に示すドットにおける低発色領域５１に対する高発色領域５０の比率に比べて相対的に小さくなってしまう。これにより、画像における発色性が低下してしまう可能性がある。
【００１９】
また、樹脂エマルジョン７２は皮膜化の際には顔料７１の粒子間の空隙を充填するようにして定着するため、ドットの表面を平滑化する働きをする。しかしながら、顔料の偏在特性の高いインクでは樹脂エマルジョン７２はドットの全域に存在する一方で、顔料７１はドットの中心領域に集中して偏在するため、十分に顔料の粒子間の空隙を充填することができない場合がある。このため、図２（ｂ）に示すドットには表面に露出する顔料粒子による微細な凹凸が形成されていると考えられる。ここで、画像の発色性は入射光が顔料にて反射した際の反射光の光吸収特性に起因し、顔料の色に対応する特定波長光成分の反射感度が高くなるほど向上する。しかしながら、図２（ｂ）に示すように表面に微細な凹凸が形成されている場合、可視光領域における表面散乱光が生じてしまう虞がある。この表面散乱光が顔料の色に対してノイズとして働き、結果として画像における発色性が低下してしまう可能性がある。
【００２０】
本発明は上記の課題を鑑みて為されたものであり、顔料、樹脂エマルジョン、水溶性有機溶剤および水を含有し、顔料の偏在特性が相対的に高いインクを使用して画像を記録する場合において、粒状感の低下をできる限り抑制しつつ、発色性の低下が抑制された画像を記録することが可能な画像処理装置、記録装置および記録方法を提供することを目的とするものである。
【課題を解決するための手段】
【００２１】
そこで、本発明は、顔料、樹脂エマルジョン、水溶性有機溶剤および水を少なくとも含有する第１のインクと、顔料、樹脂エマルジョン、水溶性有機溶剤および水を少なくとも含有し、前記第１のインクよりも記録媒体上に形成されたドットにおける顔料の偏在特性が高い第２のインクと、を少なくとも含む複数のインクを吐出する記録ヘッドと前記記録媒体との走査方向への相対的な走査を前記記録媒体上の単位領域に対して複数回行いながらインクを吐出するための記録データを生成する画像処理装置であって、前記単位領域内の複数の画素相当の小領域それぞれに対し前記第１のインクの吐出または非吐出を定める第１の画像データと、前記単位領域内の複数の前記小領域それぞれに対し前記第２のインクの吐出または非吐出を定める第２の画像データと、を取得する取得手段と、前記複数回の走査のそれぞれに対応し、記録許容画素と非記録許容画素が配置されたそれぞれ複数の第１、第２のマスクパターンに基づいて前記第１、第２の画像データから前記複数回の走査のそれぞれにおける記録に用いられる複数の第１、第２の前記記録データを生成する生成手段と、を備え、前記複数の第２のマスクパターンのうちの１つのマスクパターン内の所定の画素数から構成される評価領域に配置された、互いに隣接して配置された複数の記録許容画素により構成される記録許容画素群および他の記録許容画素と隣接しない記録許容画素のそれぞれを１つの単位とした場合の、前記単位内の前記記録許容画素の数の平均は、前記複数の第１のマスクパターンのうちの１つのマスクパターン内の前記評価領域に配置された前記単位内の前記記録許容画素の数の平均よりも多いことを特徴とする。
【発明の効果】
【００２２】
本発明に係る画像処理装置、記録装置および記録方法によれば、顔料、樹脂エマルジョン、水溶性有機溶剤および水を含有し、顔料の偏在特性が相対的に高いインクを使用して画像を記録する場合において、粒状感の低下をできる限り抑制しつつ、発色性の低下が抑制された画像を記録することが可能となる。
【図面の簡単な説明】
【００２３】
【図１】インク滴が定着する過程を説明するための図である。
【図２】発色性が低下する推定メカニズムを説明するための図である。
【図３】実施形態に係る画像記録装置の斜視図である。
【図４】実施形態に係る画像記録装置の側面図である。
【図５】実施形態に係る記録ヘッドを示す図である。
【図６】一般的なマルチパス記録方式を説明するための図である。
【図７】一般的なマルチパス記録方式で用いるマスクパターンの模式図である。
【図８】実施形態における記録制御系の構成を示すブロック図である。
【図９】大インク滴が定着する過程を説明するための図である。
【図１０】発色性の低下を抑制する推定メカニズムを説明するための図である。
【図１１】実施形態におけるドット連結度の定義を説明するための図である。
【図１２】実施形態における発色性の低下抑制の評価結果を示す図である。
【図１３】実施形態に係るマルチパス記録方式を説明するための図である。
【図１４】実施形態における記録許容画素の単位を説明するための図である。
【図１５】実施形態におけるマスクパターンの評価領域を説明するための図である。
【図１６】実施形態で適用するマスクパターンを示す図である。
【図１７】実施形態におけるデータの処理過程を示すブロック図である。
【図１８】実施形態で適用するマスクパターンを示す図である。
【発明を実施するための形態】
【００２４】
（第１の実施形態）
以下に本発明の第１の実施形態を詳細に説明する。
【００２５】
図３は本実施形態に係る画像記録装置１０００の内部の構成を部分的に示す斜視図である。また、図４は本実施形態に係る画像記録装置１０００の内部の構成を部分的に示す側面図である。
【００２６】
画像記録装置１０００の内部には筐体１が設けられており、この筐体１の上部にプラテン２が配置されている。プラテン２には、記録媒体３をプラテン２に吸着させて浮き上がらないようにするために多数の吸引孔３４が形成されている。この吸引孔３４はダクト４と繋がっており、さらにダクト４の下部に吸引ファン３６が配置され、この吸引ファン３６が動作することでプラテン２に対する記録媒体３の吸着を行っている。
【００２７】
さらに筐体１の長手方向に設置されたメインレール５には、Ｘ方向（走査方向）に往復移動するキャリッジ６が支持されている。キャリッジ６は、インクジェット方式の記録ヘッド７を搭載している。なお、記録ヘッド７は、発熱体を用いたサーマルジェット方式、圧電素子を用いたピエゾ方式等、さまざまなインクジェット記録方式を適用することが可能である。キャリッジモータ８は、キャリッジ６をＸ方向に移動させるための駆動源であり、その回転駆動力はベルト９でキャリッジ６に伝達される。
【００２８】
記録媒体３は、ローラ状の給紙媒体２３から給紙される。記録媒体３は、プラテン２の上でＸ方向と直交するＹ方向（搬送方向）に搬送される。記録媒体３は、先端をピンチローラ１６と搬送ローラ１１に挟持され、搬送ローラが駆動することによって搬送が行われる。またプラテン２よりＹ方向の下流では記録媒体３はローラ３１と排紙ローラ３２に挟持され、さらにターンローラ３３を介して記録媒体３は巻取りローラ２４に巻きつけられている。
【００２９】
本実施形態ではプラテン２と対向する位置に位置する第１ヒータ２５と、プラテン２よりＹ方向の下流側でありプラテン２と対向する位置に位置する第２ヒータ２７からの熱により液体状のインクに含有される色材の記録媒体３上への定着を図る。
【００３０】
第１ヒータ２５は第１ヒータカバー２６に、第２ヒータ２７は第２ヒータカバー２８にそれぞれ覆われており、これらの第１ヒータカバー２６および第２ヒータカバー２８はそれぞれのヒータの熱を記録媒体の表面に効率良く照射する機能と、それぞれのヒータの保護の機能とを担っている。第１ヒータ２５はインクに含有される水分を蒸発させ、インク滴の粘度を上昇させるために設けられており、記録ヘッド７よりインクが吐出される際には記録媒体は既に均一に加熱されている。本実施形態では第１ヒータの温度は記録媒体の表面が６０℃となるような温度に設定している。なお、第１ヒータ２５から熱を受ける段階ではインクが記録媒体３上で完全に定着する必要はなく、ある程度粘度が上昇し、記録媒体３上でのインクの流動性が低下する程度で良い。第１ヒータ２５の加熱方法としては、温風ヒータ、赤外線ヒータ、記録媒体に接触する熱伝導型ヒータなど種々のものを用いることができるが、特に赤外線ヒータが好ましい。
【００３１】
また、第２ヒータ２７では第１ヒータ２５よりも高温で加熱を行い、インクに含有される後述する樹脂エマルジョンを皮膜化させ、インク滴を記録媒体３上に定着させる。本実施形態においては記録媒体の表面温度が９０℃になるような温度に設定している。
【００３２】
なお、本実施形態では第１ヒータ２５と第２ヒータ２７で二段階に分けて加熱を行う形態を採用したが、本発明はこの形態に限定されるものではなく、三段階以上の段階に分けて加熱を行う形態、あるいは一段階だけで加熱を行う形態のいずれにも適用することが可能である。
【００３３】
図５は本実施形態に係る記録ヘッド７を示す図である。
【００３４】
記録ヘッド７は、ブラック（Ｋ）、シアン（Ｃ）、マゼンタ（Ｍ）、イエロー（Ｙ）、のインクをそれぞれ吐出する４つの吐出口列２２Ｋ、２２Ｃ、２２Ｍ、２２ＹがＸ方向に並列されることにより構成される。これらの吐出口列２２Ｋ、２２Ｃ、２２Ｍ、２２Ｙのそれぞれは、インクを吐出する１４４０個の吐出口３０が１２００ｄｐｉの密度でＹ方向に配列されることで構成されている。なお、本実施形態における一つの吐出口３０から一度に吐出されるインクの吐出量は約４．５ｎｇである。
【００３５】
これらの吐出口列２２Ｋ、２２Ｃ、２２Ｍ、２２Ｙは、それぞれ対応するインクを貯蔵する不図示のインクタンクに接続され、インクの供給が行われる。なお、本実施形態にて用いる記録ヘッド７とインクタンクは一体的に構成されるものでも良いし、それぞれが分離可能な構成のものでも良い。
【００３６】
本実施形態で使用するインクについて以下に詳細に記載する。
【００３７】
以下、「部」および「％」とあるものは、特に断りのない限り、質量基準である。
【００３８】
本発明で使用するインクはいずれも樹脂エマルジョンを含有している。本発明において「樹脂エマルジョン」とは、水中に分散している状態で存在するポリマー微粒子を意味する。具体的には、（メタ）アクリル酸アルキルエステルや（メタ）アクリル酸アルキルアミドなどのモノマーを乳化重合するなどして合成したアクリルエマルジョン；（メタ）アクリル酸アルキルエステルや（メタ）アクリル酸アルキルアミドなどとスチレンのモノマーを乳化重合するなどして合成したスチレン−アクリルエマルジョン；ポリエチレンエマルジョン、ポリプロピレンエマルジョン、ポリウレタンエマルジョン、スチレン−ブタジエンエマルジョンなどが挙げられる。また、樹脂エマルジョンを構成するコア部とシェル部でポリマーの組成が異なるコアシェル型樹脂エマルジョンや、粒径を制御するために予め合成したアクリル系微粒子をシード粒子とし、その周辺で乳化重合することにより得られるエマルジョンなどでもよい。更には、アクリル樹脂エマルジョンとウレタン樹脂エマルジョンなど異なる樹脂エマルジョンを化学的に結合させたハイブリッド型樹脂エマルジョンなどでもよい。
【００３９】
以上の樹脂エマルジョンのうち、以下に記載する実施形態ではスチレンーアクリルエマルジョンＪＯＮＣＲＹＬ７９０（ＢＡＳＦ社製：平均粒径Ｄ＝２００ｎｍ、ガラス転移温度Ｔｇ＝９０℃）を用い、水で希釈して樹脂成分の固形分重量が２０％とした溶液を樹脂溶液Ｐとして使用する。
【００４０】
なお、本発明のインクに使用する樹脂エマルジョンの分子量は、ＧＰＣにより得られるポリスチレン換算の数平均分子量（Ｍｎ）が、１００，０００以上３，０００，０００以下、更には３００，０００以上２，０００，０００以下であることが好ましい。
【００４１】
また、本発明のインクに使用する樹脂エマルジョンの平均粒径は、５０ｎｍ以上２５０ｎｍ以下であることが好ましい。平均粒径が５０ｎｍ未満であると、単位体積当たりの樹脂エマルジョン粒子の表面積が大きくなり、粒子間の凝集力が大きくなるため、保存安定性の向上効果が十分に得られない場合がある。また、平均粒径が２５０ｎｍより大きいと、樹脂エマルジョンのインク中での沈降速度が速くなるため、インクの吐出安定性や保存安定性の向上効果が十分に得られない場合がある
また、本発明のインクに使用する樹脂エマルジョンのガラス転移温度（Ｔｇ）は、４０℃以上９０℃以下であることが好ましい。Ｔｇが４０℃以上であれば、樹脂は十分な硬度であり、耐擦過性の向上の効果を得易い。また、Ｔｇが９０℃以下であれば樹脂エマルジョンの最低造膜温度を低下させ易くなるため、記録媒体に付与された樹脂が軟化し易くなり、画像の定着を効率的に行うことができる。これらの観点から、得られた樹脂エマルジョンのＴｇが４０℃以上９０℃以下の範囲となる、メチル（メタ）アクリレート、ｎ−ブチル（メタ）アクリレート、２−エチルヘキシル（メタ）アクリレートを用いた樹脂エマルジョンを用いることが好ましい。
【００４２】
また、本発明のインクに使用する樹脂エマルジョンの含有量（質量％）は、インク全質量を基準として０．１質量％以上１０．０質量％以下が好ましい。更には、２．０質量％以上８．０質量％以下がより好ましい。０．１質量％未満であると、画像の耐擦過性の向上効果が十分に得られない場合がある。また、１０．０質量％以上であると、インクの粘度が上昇し、インクの吐出安定性の向上効果が十分に得られない場合がある。
【００４３】
・シアンインクの作製
自己分散顔料分散液Ｃａｂ−Ｏ−Ｊｅｔ２５０Ｃ（Ｃａｂｏｔ製）を水で希釈し、十分撹拌してシアン顔料分散液Ｃ（顔料の含有量は１０．０質量％）を得た。
【００４４】
次に下記成分を十分攪拌した後、ポアサイズ２．５μｍのミクロフィルター（富士フイルム社製）にて加圧濾過し、シアンインクを調製した。
上記シアン顔料分散液Ｃ                                                ２部
樹脂溶液Ｐ                                                            ３部
水溶性有機溶剤  ２−ピロリドン                                        ７部
水溶性有機溶剤  ２メチル１３プロパンジオール                          １３部
フッ素系界面活性剤  Ｚｏｎｙｌ  ＦＳＯ−１００（デュポン社製）        ０．５部
イオン交換水                                                          残部
・マゼンタインクの作製
自己分散顔料分散液Ｃａｂ−Ｏ−Ｊｅｔ２６５Ｍ（Ｃａｂｏｔ製）を水で希釈し、十分撹拌してマゼンタ顔料分散液Ｍ（顔料の含有量は１０．０質量％）を得た。
【００４５】
次にシアンインクと同様の手順で、下記成分を配合しマゼンダインクを調製した。
上記マゼンダ顔料分散液Ｍ                                              ２部
樹脂溶液Ｐ                                                            ３部
水溶性有機溶剤  ２−ピロリドン                                        ７部
水溶性有機溶剤  ２メチル１３プロパンジオール                          １３部
フッ素系界面活性剤  Ｚｏｎｙｌ  ＦＳＯ−１００（デュポン社製）        ０．５部
イオン交換水                                                          残部
・イエローインクの作製
自己分散顔料分散液Ｃａｂ−Ｏ−Ｊｅｔ７４０Ｙ（Ｃａｂｏｔ製）を水で希釈し、十分撹拌してイエロー顔料分散液Ｙ（顔料の含有量は１０．０質量％）を得た。
【００４６】
次にシアンインクと同様の手順で、下記成分を配合しイエローインクを調製した。
上記イエロー顔料分散液Ｙ                                              ２部
樹脂溶液Ｐ                                                            ３部
水溶性有機溶剤  ２−ピロリドン                                        ７部
水溶性有機溶剤  ２メチル１３プロパンジオール                          １３部
フッ素系界面活性剤  Ｚｏｎｙｌ  ＦＳＯ−１００（デュポン社製）        ０．５部
イオン交換水                                                          残部
【００４７】
なお、以上のインク作製例にて説明したように、本実施形態で使用するそれぞれのインクには、水溶性有機溶剤である２−ピロリドンを含有している。２−ピロリドンは造膜助剤としての性質を有し、樹脂エマルジョンの最低造膜温度を低下させるためにそれぞれのインクに含有されている。
【００４８】
また、本実施形態で使用するそれぞれのインクには、表面張力を制御するため、パーフルオロアルキル基を有するフッ素系界面活性剤が含有されている。なお、本実施形態で使用するインクに含有する界面活性剤はフッ素系界面活性剤に限定されるものではない。更に、本実施形態で使用するインクは、界面活性剤が含有していなくても良い。
【００４９】
次に、本実施形態で使用する記録媒体について以下に詳細に説明する。
【００５０】
本実施形態では、基材上に塩化ビニルによる層が形成された、白色光沢塩ビ粘着付（グレー糊）ＫＳＭ−ＶＳ（きもと社製）を記録媒体として使用する。本発明を適用可能な記録媒体は塩化ビニルによるシートに限定されるものではないが、インクの吸収性が低い、もしくはインクを吸収しない記録媒体を使用する場合に特に顕著な効果を得ることができる。このような記録媒体としては、塩化ビニルの他に、例えばポリエステル、耐水加工を施したパルプシート、パルプ上に非吸水性の層を設けた印刷用塗光紙、パルプと化学繊維との複合物等がある。
【００５１】
本実施形態では、マルチパス記録方式に従って画像を形成する。以下に一般的なマルチパス記録方式について詳細に説明する。
【００５２】
図６は４回の記録走査により記録媒体上の単位領域内に記録を行う際に用いるマルチパス記録方式について示す図である。
【００５３】
また、図７は上述のマルチパス記録方式におけるそれぞれの記録走査において適用するマスクパターンについて説明するための図である。
【００５４】
インクを吐出する吐出口列２２に設けられたそれぞれの吐出口３０は、副走査方向に沿って４つの記録グループ２０１、２０２、２０３、２０４に分割される。
【００５５】
各マスクパターン２２１、２２２、２２３、２２４はそれぞれ複数のインクの吐出を定める記録許容画素とインクの非吐出を定める非記録許容画素が配置されることで構成されている。図６において、黒く塗りつぶされている箇所が記録許容画素を、白抜けで表されている箇所が非記録許容画素を表している。記録許容画素では入力された画像データがインクの吐出を表す画像データである場合にインクを吐出する記録データとする。また、非記録許容画素では、インクの吐出を表す画像データが入力された場合であってもインクを吐出しない記録データとする。
【００５６】
なお、これらのマスクパターン２２１、２２２、２２３、２２４における記録許容画素は、それぞれ互いに異なる位置であり、且つ、それぞれの論理和が全画素となるような関係となる位置に配置されている。
【００５７】
以下は記録媒体上にデューティが１００％の画像（以下、ベタ画像とも称する）を形成する例について説明する。
【００５８】
１回目の記録走査（１パス）では、記録媒体３上の領域２１１に対して記録グループ２０１からマスクパターン２２１に従ってインクが吐出される。この結果、記録媒体上では図５のＡの黒色で示す位置にインクが吐出される。
【００５９】
次に、記録媒体３を記録ヘッド７に対してＹ方向の上流側から下流側にＬ／４の距離だけ相対的に搬送する。
【００６０】
この後に２回目の記録走査（２パス）を行う。２回目の記録走査では、記録媒体上の領域２１１に対しては記録グループ２０２からマスクパターン２２２に、領域２１２に対しては記録グループ２０３からマスクパターン２２１に従ってインクが吐出される。この２回目の記録走査の結果、記録媒体３には図５のＢの黒色で示すような画像が形成される。
【００６１】
以下、記録ヘッド７の記録走査と記録媒体３の相対的な搬送を交互に繰り返す。この結果、４回目の記録走査（４パス）が行われた後には、記録媒体３のＤの領域２１１ではすべての画素に相当する小領域に対してインクの吐出が完了し、ベタ画像が形成される。
【００６２】
なお以下の説明では、記録媒体における画素相当の小領域を、単に「画素」と記載することがある。
【００６３】
本実施形態における記録制御系について以下に詳細に説明する。
【００６４】
図８は本実施形態に係る記録制御系の概略構成を示すブロック図である。
【００６５】
画像入力部であるホストコンピュータ３０１は、ハードディスク等の各種の記憶媒体に保存されているＲＧＢ形式の多値画像データを、画像記録装置１０００内の画像処理部に送信する。
【００６６】
画像処理部は、後述するＭＰＵ３０２、ＡＳＩＣ３０３等から構成されている。また、多値画像データは、ホストコンピュータ３０１に接続されたスキャナやデジタルカメラ等の外部の画像入力機器からも受け取ることができる。画像処理部は、入力された多値画像データに後述する画像処理を施して２値画像データに変換する。これにより、複数種類のインクを記録ヘッド７から吐出するための記録データである２値画像データが生成される。
【００６７】
画像出力部である画像記録装置１０００は、画像処理部で生成されたインクの２値画像データに基づいて、インクを記録媒体３に付与することで画像を記録する。画像記録装置１０００は、ＲＯＭ３０４に記録されたプログラムに従ってＭＰＵ（Ｍｉｃｒｏ  Ｐｒｏｃｅｓｓｅｏｒ  Ｕｎｉｔ）３０２により制御される。ＲＡＭ３０５は、ＭＰＵ３０２の作業領域や一時データ保存領域として機能する。ＭＰＵ３０２は、ＡＳＩＣ３０３を介して、キャリッジ６の駆動系３０８、記録媒体３の搬送駆動系３０９、記録ヘッド７の回復駆動系３１０、および記録ヘッド７の駆動系３１１の制御を行う。
【００６８】
プリントバッファ３０６は、記録ヘッド７へ転送できる形式に変換された記録データを一時保管する。
【００６９】
マスクバッファ３０７には、記録データを記録ヘッド７に転送する際に適用するマスクパターンが一時的に保管されている。なお、マルチパス記録に用いる複数のマスクパターンはＲＯＭ３０４内に用意され、実際の記録時に該当するマスクパターンがＲＯＭ３０４から読み出されてマスクバッファ３０７に格納される。
【００７０】
なお、本実施形態では画像処理部は画像記録装置１０００に存在する形態について記載したが、ホストコンピュータ３０１に画像処理部が存在していても良い。
【００７１】
本実施形態では、記録媒体上に形成されたドット内の顔料の偏在特性が相対的に高いインクにより記録媒体上に１回の走査によって形成されるドットの連結度を、記録媒体上に形成されたドット内の顔料の偏在特性が相対的に低いインクにより記録媒体上に１回の走査によって形成されるドットの連結度よりも大きくすることにより、発色性に優れた画像を形成する。
【００７２】
以下に顔料の偏在特性が高いインクを１回の走査におけるドット連結度を大きくすることにより発色性が向上する推定メカニズムについて詳細に説明する。
【００７３】
図９は記録媒体上の互いに隣接する小領域７９ａ、７９ｂにインクをそれぞれ１つずつ吐出して形成された２つのインク滴が定着するまでの過程を説明するための図である。
【００７４】
図９（ａ）は記録媒体上に２つのインク滴が形成された直後におけるインク滴の様子を示す図である。
【００７５】
上述のように、２つのインク滴は記録媒体上の互いに隣接する小領域７９ａ、７９ｂに形成されるため、記録媒体上にて接触する。複数のインク滴が接触した場合、数ミリ秒の間にこれらのインク滴は混ざり合い、図９（ａ）に示すような１つの大インク滴を形成する。この後、前述した図１（ａ）に示す１つのインク滴（以下、小インク滴とも称する）の定着の過程と同じように、大インク滴に熱が加えられ、溶媒の蒸発や樹脂エマルジョンの皮膜化が行われる。
【００７６】
図９（ｂ）は図９（ａ）に示す状態にある大インク滴を加熱し、ある程度時間が経過した際の大インク滴の様子を示す図である。
【００７７】
この段階では、図１（ｂ）に示す１つのインク滴の定着の過程と同様に、大インク滴内における水溶性有機溶剤の分布に偏りが生じる。この結果、大インク滴と空気との気液境界面７３の近傍領域においては水溶性有機溶剤の存在比率が、大インク滴の中心領域においては水の存在比率がそれぞれ相対的に高くなる。そのため、水との親和性が相対的に高い顔料７１は大インク滴の中心領域に、水との親和性が相対的に低い樹脂エマルジョン７２は気液境界面７３の近傍領域に移動する。ここで、大インク滴におけるインクが着弾してから顔料７１や樹脂エマルジョン７２の移動が止まるまでの時間Ｔｃは、樹脂エマルジョン７２の粘度の上昇速度に依存する。図９（ｂ）に示す大インク滴と図１（ｂ）に示す小インク滴は同じように加熱されているため、含有される樹脂エマルジョンの粘度の上昇速度もほぼ同じとなる。そのため、この時間Ｔｃは図１（ｂ）に示す小インク滴におけるインクが着弾してから顔料７１や樹脂エマルジョン７２の移動が止まるまでの時間Ｔ１とほぼ同じであると考えられる。
【００７８】
図９（ｃ）は図９（ｂ）に示す状態にあるインクを更に加熱し、大インク滴が定着してドットが形成された際のドットの様子を示す図である。
【００７９】
図１（ｃ）に示すドットと同じように、大インク滴により形成された大ドットにおいても顔料７２はドットの中心領域に偏在する。しかしながら、上述のように顔料が移動可能な時間もほぼ同じであるため、顔料が移動可能な距離もほぼ同じとなる。そのため、大ドットにおける低発色領域の幅Ｗｃも図１（ｃ）に示すドット（以下、小ドットとも称する）における低発色領域の幅Ｗとほぼ同じとなる。
【００８０】
図１０（ａ）、（ｂ）のそれぞれは図９（ｃ）、図１（ｃ）に示すインク滴が定着した後のドットを記録媒体３の表面に対して鉛直上方から見た様子を示す模式図である。なお、図１０（ａ）に示す大ドットと図１０（ｂ）に示す小ドットは互いに同じインクを使用して形成したものである。
【００８１】
上述したように、大ドットにおける低発色領域５５の幅Ｗｃは小ドットにおける低発色領域５４の幅Ｗとほぼ同じである。そのため、大ドットにおける低発色領域５５の面積に対する高発色領域５４の面積の比率は、小ドットにおける低発色領域５７の面積に対する高発色領域５６の面積の比率よりも大きくなる。すなわち、大ドットでは小ドットに比べてドット全体でみた場合に発色性を低下させる低発色領域の比率が小さくなる。
【００８２】
また、大ドットにおいては樹脂エマルジョンの全体量に対する顔料の上に被覆する樹脂エマルジョンの量の比率が高くなるため、小ドットに比べて樹脂エマルジョンが皮膜化する際の顔料粒子間の空隙の充填が顕著に発生し、ドットの表面の平滑化が効果的に進行する。そのため、大ドットは小ドットに比べて表面の凹凸性が低下し、可視光領域における表面散乱光が少なくなると考えられる。
【００８３】
これらの理由から、顔料の偏在特性が高いインクにおけるドット連結度を大きくし、大ドットにて記録することにより、発色性の低下を抑制した画像を記録することが可能となる。
【００８４】
本実施形態におけるドット連結度の評価方法について以下に詳細に説明する。なお、本実施形態におけるドット連結度とは同一の走査で記録媒体上の連続する位置に形成されたドットの数により評価するものとする。
【００８５】
図１１は本実施形態におけるドット連結度について説明するための図である。
【００８６】
本実施形態におけるドット連結度は、ある領域内に吐出された複数のドットのうち、連結して大ドットを構成するドットの連結数を測定し、該領域内における該連結数の平均を算出することにより数値化して評価することができる。
【００８７】
例えば、図１１（ａ）に示す９個のドットのそれぞれは１回の走査で互いに離れた位置に形成されるので、６画素×６画素の領域内において連結する複数のドットは存在しない。そのため、該領域内のすべてのドットの連結数は１である。したがって、該領域内のドット連結数の平均であるドット連結数は１であると評価する
また、図１１（ｂ）に示す９個のドットは、１回の走査で互いに接触する位置に形成され、記録媒体上に付与された後に連結して大ドットを形成する。この大ドットのドットの連結数は９であると評価する。さらに、６画素×６画素の領域内において該大ドット以外のドットは存在しないため、該領域内のドット連結数の平均であるドット連結度は９であると評価する。
【００８８】
顔料の偏在特性が相対的に高いインクにおいてドットの連結度を制御したことによる発色性の低下の抑制の効果の検証方法および結果を以下に詳細に記載する。
【００８９】
まず、顔料の偏在特性の評価方法を以下に記載する。
【００９０】
本実施形態では、シアンインク、マゼンタインク、イエローインクをそれぞれ記録媒体上に１滴だけ吐出し、形成されたそれぞれの小ドットを測定することでそれぞれのインクにおける顔料の偏在特性を評価する。なお、ここでは例として図１０（ｂ）を参照しながら説明する。
【００９１】
まず、シアンインク、マゼンタインク、イエローインクをそれぞれ記録媒体である白色光沢塩ビ粘着付（グレー糊）ＫＳＭ−ＶＳ（きもと社製）上に吐出してそれぞれのインクに対応するインク滴を形成する。記録媒体の表面を６０℃に加熱してインク滴の粘度を高めた後、更に８０℃で３分間加熱することによりそれぞれのインクに対応するドットを形成し、これらのドットをサンプルとして使用する。
【００９２】
本実施形態では市販の光学顕微鏡を用い、それぞれのインクに対応するそれぞれの小ドットを撮影する。この撮影した画像をＲＧＢデータ化し、画像の中心領域の色強度（明度や彩度）を基準として色強度が５０％に減少する位置を高発色領域５６と低発色領域５７の境界とする。ここで、高発色領域５６の面積と低発色領域５７の面積をそれぞれ算出し、低発色領域５７の面積に対する高発色領域５６の面積の比率を計算する。本実施形態では、この比率を顔料の偏在比率として顔料の偏在特性を評価するパラメータとして用いる。すなわち、上記の顔料の偏在比率が低いほど顔料の偏在特性は高くなる。
【００９３】
上記の評価方法にしたがってそれぞれのインクに対応するドットにおける顔料の偏在比率を算出したところ、シアンインクでは８０％、マゼンダインクでは８８％、イエローインクでは５０％となった。したがって、本実施形態で使用するインクにおいては、イエローインクにおける顔料の偏在特性がシアンインクおよびマゼンタインクにおける顔料の偏在特性よりも高いことが実験的にわかった。
【００９４】
なお、ここでは光学顕微鏡を用いて画像を撮影する例を示したが、顔料の存在領域を特定できる他の分析機器によっても撮影することができる。例えば電子顕微鏡や赤外分光によるマッピング観察などを行っても良い。
【００９５】
次に、発色性の評価方法を以下に記載する。
【００９６】
シアンインク、マゼンタインクに対して図１６（ａ）に示すマスクパターンを、イエローインクに対して図１６（ｂ）に示すマスクパターンをそれぞれ適用し、各インクの記録デューティを様々に異ならせて記録した複数の画像を本実施形態の効果を評価するための評価試料として作成した。また、シアンインク、マゼンタインク、イエローインクのそれぞれに対して図１６（ａ）に示すマスクパターンを適用し、各インクの記録デューティを様々に異ならせて記録した複数の画像を比較試料として作成した。
【００９７】
本実施形態では、上述の評価試料と比較試料における彩度値（ａ＊値、ｂ＊値）を反射濃度計ＲＤ−１９Ｉ（ＧｒｅｔａｇＭａｃｂｅｔｈ社製）を用いて測定した。
【００９８】
図１２はシアンインクの記録デューティを４０％、マゼンタインクの記録デューティを０％に固定し、イエローインクの記録デューティを０％、２０％、４０％、６０％、８０％、１００％にそれぞれ設定して記録した上述の評価試料および比較試料の彩度値を示す。
【００９９】
一般に、１色のインクの記録デューティを段階的に変化させた際の各彩度値を結んだ領域の面積が広いほど再現可能な色域が広く、発色性が良いことが知られている。本実施形態における評価試料と比較試料を比べると、図１２からわかるように、評価試料における各彩度を結んだ領域の面積の方が広くなっている。これにより、顔料の偏在特性が高いイエローインクのドット連結度を大きくして記録することにより発色性の低下を抑制することが可能であることを実験的に確認できた。
【０１００】
なお、ここでは簡単のためシアンインク、マゼンタインクの記録デューティをそれぞれ４０％、０％に固定した場合について説明したが、シアンインク、マゼンタインクの記録デューティを異なる値に固定した場合でも同様の効果を確認することができた。
【０１０１】
一方で、ドット連結度を大きくして記録した場合、複数のインク滴が集合し合うことで大ドットを形成するため、画像全体における粒状感が目立ってしまうこともまた実験的に確認できた。
【０１０２】
表１に上述の各評価方法により評価された各インクにおける顔料の偏在特性、発色性、粒状感を示す。
【０１０３】
【表１】
2015104827.tif 000003
【０１０４】
以上の点を鑑み、本実施形態では、イエローインクはドット連結度を大きく、また、マゼンタインク、シアンインクはドット連結度をそれぞれ小さくなるように、インクの吐出を制御する。このように制御することにより、マゼンタインク、シアンインクに関しては粒状感抑制と発色性の双方に優れた画像を記録することが可能となる。また、イエローインクに関しては粒状感は多少目立つが、発色性の低下を抑制した画像を記録することが可能となる。
【０１０５】
本実施形態における記録方法を以下に詳細に記載する。
【０１０６】
図１３は本実施形態におけるマルチパス記録方式について説明するための図である。なお、以下では簡単のため、シアンインクを吐出する吐出口列２２Ｃとイエローインクを吐出する吐出口列２２Ｙのみについて説明する。
【０１０７】
本実施形態では６回の記録走査によって記録媒体上の単位領域８０に対して画像を完成させる方式を採用する。本実施形態において使用する記録ヘッド７のうち、シアンインクイエローインクを吐出する吐出口列２２Ｃ、２２Ｙに配列されたそれぞれ１４４０個の吐出口は、記録グループＡ１から記録グループＡ６、記録グループＢ１から記録グル―プＢ６の、それぞれ長さｄを有する６つの記録グループに分割される。ここで、一つの記録グループに含まれる吐出口の個数は２４０個である。
【０１０８】
ここで、記録媒体３上の単位領域８０のＹ方向の長さは記録ヘッド７と記録媒体３とのＹ方向への１回の相対移動量に相当し、また、分割された吐出口列２２Ｃ、２２Ｙそれぞれにおける一つの記録グループの長さｄに相当する。また、単位領域８０のＸ方向の長さは記録媒体３のＸ方向の長さに相当する。
【０１０９】
まず、記録媒体３の単位領域８０が位置８０ａにある際に、記録ヘッド７をＸ方向に走査しながら単位領域８０に対し少なくとも吐出口列２２Ｃの記録グループＡ１、吐出口列２２Ｙの記録グループＢ１に属する吐出口から後述するマスクパターンに従ってそれぞれのインクが吐出される。その後、記録媒体３はＹ方向に距離ｄに対応する距離だけ搬送されて、単位領域８０は位置８０ｂへと移動される。この搬送の後、先に記録グループＡ１、Ｂ１に属する吐出口からインクが吐出された記録媒体３上の単位領域８０に対し、記録ヘッド７のＸ方向への走査を伴いながら少なくとも吐出口列２２Ｃの記録グループＡ２、吐出口列２２Ｙの記録グループＢ２に属する吐出口からインクが吐出される。以降、このような距離ｄに対応する距離の記録媒体３の搬送を間に行いながら、記録媒体３上の単位領域８０に対し記録ヘッド７を合計６回走査することにより画像を完成させる。
【０１１０】
本実施形態では、ブラックインクの吐出に用いるマスクパターン、シアンインクの吐出に用いるマスクパターン、マゼンタインクの吐出に用いるマスクパターンのそれぞれで、複数の記録許容画素の連なりにより構成される記録許容画素群および他の記録許容画素と隣接しない記録許容画素のそれぞれを１つの単位とした記録許容画素の単位（以下、単純に「単位」とも称する）内の記録許容画素の数の平均を異ならせることで、上述のドット連結度を制御する。以下にその制御方法を詳細に説明する。
【０１１１】
図１４は本実施形態における記録許容画素の単位の定義および記録許容画素の単位内の記録許容画素の数について説明するための図である。
【０１１２】
上述のように、記録許容画素群は隣接する位置に配置された複数の記録許容画素から構成される。例えば、図１４（ａ）では２画素×２画素の４つの画素からなる、正方形の形状の記録許容画素群を示している。この場合、単位内の記録許容画素の数は４となる。
【０１１３】
また、本実施形態では他のいずれの記録許容画素とも隣接しない記録許容画素であっても記録許容画素の単位と称する。図１４（ｂ）では隣接する記録許容画素が１つもない記録許容画素を示している。この場合の単位内の記録許容画素の数は１とする。
【０１１４】
また、特定の方向に偏って連続した複数の記録許容画素も本実施形態における記録許容画素群であり、図１４（ａ）に示したような等方的な形状に限定されるものではない。図１４（ｃ）では特定の方向に偏って連続した、Ｌ字型の記録許容画素群を示している。この場合、単位内の記録許容画素の数は７である。
【０１１５】
また、本実施形態における連続する記録許容画素とは、Ｘ方向およびＹ方向に連続する記録許容画素だけではなく、斜め方向に連続する記録許容画素も含むものである。すなわち、一つの記録許容画素に対してはＸ方向に２つ、Ｙ方向に２つ、斜め方向に４つの計８つの記録許容画素が隣接して配置される可能性がある。図１４（ｄ）では斜め方向に隣接した記録許容画素群を示している。この場合、単位内の記録許容画素の数は５である。
【０１１６】
図１５は本実施形態における記録許容画素の単位内の記録許容画素の数の平均の算出方法について説明するための図である。
【０１１７】
本実施形態では、簡単のため、単位領域８０内の所定の画素数からなる判定領域における記録許容画素の単位内の記録許容画素の数の平均を算出し、その値を単位領域内の記録許容画素の単位内の記録許容画素の数の平均として用いる。なお、図１７は、単位領域のうちの評価領域に対応するマスクパターンの領域として、Ｘ方向に５画素、Ｙ方向に５画素の２５個の画素からなる領域を例示している。本実施形態における単位内の記録許容画素の数の平均は、評価領域に対応するマスクパターンの領域に含まれる単位の数を算出し、該評価領域に対応するマスクパターンの領域内のそれぞれの単位内の記録許容画素の数を算出する。さらに、該それぞれの単位内の記録許容画素の数の和を算出し、該和を単位の数で割った値をそれぞれのマスクパターンにおける単位内の記録許容画素の数の平均とする。
【０１１８】
例えば、図１５（ａ）に示す評価領域に対応するマスクパターンの領域内には、互いに隣接する記録許容画素は存在しない。上述の定義に従って換言すると、単位内の記録許容画素の数が１である単位が合計８個配置されている。したがって、図１５（ａ）に示すマスクパターンにおける単位内の記録許容画素の数の平均は、それぞれの単位内の記録許容画素の数の和である８（＝１×８）を単位の数である８で割った値である１となる。
【０１１９】
一方、図１５（ｂ）に示す評価領域に対応するマスクパターンの領域内には、それぞれ互いに隣接する４つの記録許容画素から記録許容画素の単位Ｔ１、Ｔ２が構成されている。したがって、図１５（ｂ）に示すマスクパターンにおける単位内の記録許容画素の数の平均は、それぞれの単位内の記録許容画素の数の和である８（＝４×２）を単位の数である２で割った値である４となる。
【０１２０】
以下に本実施形態で適用するマスクパターンについて詳細に説明する。
【０１２１】
図１６（ａ）は本実施形態のシアンインクを吐出する吐出口列２２Ｃに適用するマスクパターンを示す図である。また、図１６（ｂ）は本実施形態のイエローインクを吐出する吐出口列２２Ｙに適用するマスクパターンを示す図である。
【０１２２】
シアンインクを吐出する吐出口列２２Ｃの記録グループＡ１から記録グループＡ６までの記録グループには、それぞれマスクパターン１２１からマスクパターン１２６までのマスクパターンが適用される。なお、図１１には簡単のため２５個の画素からなるマスクパターンを記載しているが、これはマスクパターンの繰り返し単位を示している。実際には図示のそれぞれのマスクパターンがＸ方向、Ｙ方向に進むにしたがって繰り替えし用いられる。
【０１２３】
ここで、マスクパターン１２１からマスクパターン１２６までのマスクパターンのそれぞれには、ほぼ同じ数の記録許容画素が配置される。なお、これらのマスクパターン１２１〜１２６それぞれの記録許容画素は互いに異なる位置であり、且つ、それぞれの記録許容画素の論理和が全画素となるような位置に配置されている。
【０１２４】
このようなマスクパターンを適用することにより、１回目から６回目までの記録走査においてシアンインクをほぼ同じ量ずつ吐出することができる。さらに、１回目から６回目までの記録走査によって記録媒体上の単位領域内のすべての吐出可能な位置にシアンインクを付与することができる。
【０１２５】
さらに、マスクパターン１２１〜１２６のうち、マスクパターン１２１、１２２、１２３、１２５、１２６における上述の定義に従って算出した単位内の記録許容画素の数の平均は１である。また、マスクパターン１２４における単位内の記録許容画素の数の平均は約１．３である。
【０１２６】
一方、イエローインクを吐出する吐出口列２２Ｙの記録グループＢ１からＢ６までの記録グループに対しては、それぞれマスクパターン１３１からマスクパターン１３６までのマスクパターンが適用される。
【０１２７】
更に、マスクパターン１３１〜１３６のそれぞれには、マスクパターン１３１〜１３６と同様に、ほぼ同じ数の記録許容画素が配置される。また、マスクパターン１３１〜１３６それぞれの記録許容画素は、互いに異なる位置であり、且つ、それぞれの記録許容画素の論理和が全画素となるような補完的な位置に配置されている。
【０１２８】
したがって、１回目から６回目までの記録走査において、イエローインクをほぼ同じ量だけ吐出し、且つ、単位領域上のすべての吐出可能な位置にイエローインクを付与することができる。
【０１２９】
ここで、マスクパターン１３１〜１３６のうち、マスクパターン１３１、１３２、１３３、１３５、１３６における上述の定義に従って算出した単位内の記録許容画素の数の平均は４である。また、マスクパターン１３４における単位内の記録許容画素の数の平均は５である。
【０１３０】
このように、シアンインクに対応するマスクパターン１２１〜１２６とイエローインクに対応するマスクパターン１３１〜１３６のいずれの組合せにおいても、イエローインクに対応するマスクパターンにおける単位内の記録許容画素の数の平均は、シアンインクに対応するマスクパターンにおける単位内の記録許容画素の数の平均よりも多くなるように配置されている。したがって、１回の記録走査で記録媒体上に吐出されるイエローインクのドット連結度が、１回の記録走査で記録媒体上に吐出されるシアンインクのドット連結度よりも必ず高くなるようにインクの吐出を制御することができる。
【０１３１】
図１７は本実施形態の画像処理部における画像処理の過程を説明するためのフローチャートである。
【０１３２】
色変換処理ステップＳ８０１では、画像入力部であるホストコンピュータ３０２から取得されたＲＧＢ形式の多値データが、記録に用いるインクの色に対応する多値データに変換される。
【０１３３】
次に、２値化処理ステップＳ８０２では、色変換処理ステップＳ８０１にて変換されたインクの色に対応する多値データのそれぞれが、記憶されていたパターンに従って２値の画像データに展開される。この２値化処理により、ブラックインク、シアンインク、マゼンタインク、イエローインクのそれぞれを吐出するための２値データが生成される。
【０１３４】
インクグループ選択ステップＳ８０３では、２値化処理ステップＳ８０２により生成されたそれぞれのインクに対応する２値データを、顔料の偏在特性が相対的に低いインクグループに属する２値データと顔料の偏在特性が相対的に高いインクグループに属する２値データとに分類する。本実施形態で使用するインクおいては、上述のとおり、ドット内の中心領域への偏在比率が８０％であるシアンインクと８８％であるマゼンタインクを顔料の偏在特性が低いインクグループであり、シアンインク、マゼンタインクに対応する２値データはドット連結度小マスクパターン設定処理Ｓ８０５へと進む。また、ドット内の中心領域への偏在比率が５０％であるイエローインクに対応する２値データはドット連結度大マスクパターン設定処理Ｓ８０４へと進む。
【０１３５】
ドット連結度大マスクパターン設定処理Ｓ８０４、ドット連結度小マスクパターン設定処理Ｓ８０５では、各２値データに対しそれぞれ図１６（ｂ）、図１６（ａ）に示すマスクパターンが設定される。
【０１３６】
更に、マスク処理ステップＳ８０６では、ドット連結度大マスクパターン設定処理ステップＳ８０４、ドット連結度小マスクパターン設定処理Ｓ８０５においてそれぞれの２値データに設定されたマスクパターンを用いてマスクパターン処理を行い、それぞれのインクに関して複数回の記録走査に分配された記録データを生成する。
【０１３７】
このように生成された記録データに基づき、画像記録装置１０００の記録ヘッド７からインクの吐出を実行し、画像を形成する。
【０１３８】
以上の構成によれば、顔料の偏在特性が相対的に高いイエローインクのドット連結度を大きくするため、画像の発色性の低下を抑制することが可能となる。一方で、顔料の偏在特性が相対的に低いシアンインク、マゼンタインクのドット連結度を小さくするため、粒状感の抑制と発色性の双方に優れた画像を記録することが可能となる。
【０１３９】
（第２の実施形態）
第１の実施形態では、顔料の偏在特性の高いインクをすべての走査において吐出する形態について記載した。
【０１４０】
これに対し、本実施形態では単位領域に対する複数回の走査のうち、特定の走査では顔料の偏在特性の高いインクを吐出しない形態について記載する。
【０１４１】
なお、前述した第１の実施形態と同様の部分については説明を省略する。
【０１４２】
本実施形態では、顔料の偏在特性が高いインクであるイエローインクを１回目および６回目の走査では吐出しないように制御する。
【０１４３】
図１８は本実施形態のイエローインクを吐出する吐出口列２２Ｙに適用するマスクパターンを示す図である。
【０１４４】
本実施形態では、１、６回目の走査にそれぞれ対応するイエローインクの吐出口列２２Ｙのうち、記録グループＢ１、Ｂ６に適用するマスクパターン１４１、１４６には記録許容画素は配置されない。
【０１４５】
一方で、２〜５回目の走査にそれぞれ対応するイエローインクの吐出口列２２Ｙのうちの記録グループＢ２〜Ｂ５に適用するマスクパターン１４２〜１４５には、それぞれ図１６（ｂ）に示すマスクパターン１３２〜１３５よりも多くの記録許容画素が配置されている。また、マスクパターン１４２〜１４５それぞれの記録許容画素は、互いに異なる位置であり、且つ、それぞれの記録許容画素の論理和が全画素となるような補完的な位置に配置されている。
【０１４６】
更に、それぞれの単位内の記録許容画素の数の平均は、マスクパターン１４２、１４３、１４４において６、マスクパターン１４５において７となる。したがって、いずれも図１６（ｂ）に示すマスクパターン１３１〜１３６における単位内の記録許容画素の数の平均よりも更に高くすることが可能となる。
【０１４７】
以上の構成によれば、１回目、６回目の走査ではイエローインクを吐出しない。一方で、すべての走査でインクを吐出する場合と比べて２回目から５回目の走査における１回の走査でのインクの吐出量を多くすることができるため、ドット連結度をより大きくすることができる。したがって、顔料の偏在特性の高いインクであるイエローインクの画像における発色性をより向上させることが可能となる。
【０１４８】
（第３の実施形態）
第１、第２の実施形態では、色強度の減衰の程度に基づいてドットの高発色領域と低発色領域の境界を決定し、それぞれの面積比から顔料の偏在比率を計算して偏在特性を評価する形態について記載した。
【０１４９】
これに対し、本実施形態ではドットの表面粗さから顔料の偏在特性を評価する形態について記載する。
【０１５０】
なお、前述した第１、第２の実施形態と同様の部分については説明を省略する。
【０１５１】
前述したように、顔料の偏在特性が高い場合、樹脂エマルジョンが顔料粒子間の空隙を十分にできないため、ドットの表面に顔料粒子による微細な凹凸が形成されてしまう。すなわち、顔料の偏在特性が高いほどドットの表面粗さは大きくなる。これを利用して、本実施形態ではドットの表面粗さを測定し、表面粗さが相対的に大きいインクはドット連結度を大きく、且つ、表面粗さが小さいインクはドット連結度を小さくして記録を行う。
【０１５２】
ドットの表面粗さの測定方法および結果について以下に詳細に記載する。
【０１５３】
本実施形態では、共焦点顕微鏡Ｈ１２００（レーザーテック社製）を用い、第１の実施形態における顔料の偏在特性の評価の際に使用したサンプルと同様のサンプルにおけるドットの表面粗さを測定した。なお、ここではＪＩＳ  Ｂ０６０１に記載の算術平均粗さＲａを測定し、この算術平均粗さＲａをドットの表面粗さに対応するパラメータとして使用した。各インクに対応するドットの表面粗さの測定結果を表２に示す。
【０１５４】
【表２】
2015104827.tif 000004
【０１５５】
表２からわかるように、イエローインクの算術平均粗さＲａはシアンインク、マゼンタインクの算術平均粗さＲａよりも大きい。これにしたがって、本実施形態では算術平均粗さＲａが大きい（ドットの表面粗さＲａが相対的に大きい）イエローインクを顔料の偏在特性が相対的に高いインクであると評価する。一方、算術平均粗さＲａが小さい（ドットの表面粗さＲａが相対的に小さい）シアンインク、マゼンタインクを顔料の偏在特性が相対的に低いインクであると評価する。
【０１５６】
したがって、シアンインク、マゼンタインクは図１６（ａ）に示すマスクパターンを用いてドット連結度が低くなるように記録し、また、イエローインクは図１６（ｂ）に示すマスクパターンを用いてドット連結度が高くなるように記録する。
【０１５７】
なお、ここでは共焦点顕微鏡を用いてドットの表面粗さを測定したが、ドットの表面における微細な凹凸を測定可能な分解能を有する装置であれば他の測定機器を用いることも可能である。例えば、白色干渉式表面形状測定機や走査型プローブ顕微鏡などを用いても良い。また、ここではドットの表面粗さに対応するパラメータとして算術平均粗さＲａを用いたが、ＪＩＳ  Ｂ０６０１に記載の最大高さＲｙや十点平均粗さＲｚなどをドットの表面粗さに対応するパラメータとして使用しても良い。
【０１５８】
以上の構成によれば、第１の実施形態と同様に、できる限り粒状感を抑制しつつ画像の発色性に優れた記録を行うことが可能となる。
【０１５９】
（第４の実施形態）
本実施形態では、インク内の水が減少した場合における顔料の分散安定性から顔料の偏在特性を評価する形態について記載する。
【０１６０】
前述したように、顔料の偏在は、顔料と水との親和性が高い場合に特に顕著に発生する。言い換えれば、水溶性有機溶剤との親和性が高いインクにおいてはドットの中心領域への移動は阻害されるため、顔料の偏在特性は相対的に低くなる。これを利用して、本実施形態では各インクの顔料と水溶性有機溶剤との親和性を評価し、親和性が相対的に低いインクはドット連結度を大きく、且つ、親和性が高いインクはドット連結度を小さくして記録を行う。
【０１６１】
顔料と水溶性有機溶剤との親和性の評価方法および結果について以下に詳細に記載する。
【０１６２】
一般的に、溶媒中に分散している顔料粒子は、溶媒との親和性が低くなると分散系を保持する力（分散力）が弱くなるため，顔料粒子同士が会合して粗大化する傾向にある。また、このように顔料粒子の粗大化が発生すると、溶液全体としての流動特性も変化するため、溶液の粘度もまた高くなる。したがって、本実施形態では、インク中に含有される水が減少した（水溶性有機溶剤の存在比率が相対的に高くなった）場合における顔料の粒子径およびインクの粘度値を測定し、この水の減少前と減少後における粒子径の変化分と粘度値の変化分から顔料と水溶性有機溶剤との親和性を評価した。
【０１６３】
なお、本実施形態では、粒度分布測定装置ナノトラックＵＰＡ−１５０（日機装社製）を用い、５０％体積平均粒子径（Ｄ５０）の数値を基準とした顔料の粒子径を測定した。
【０１６４】
まず、第１の実施形態で用いたシアンインク、マゼンタインク、イエローインクをそれぞれ４０ｇ秤量し、この段階における粒子径および粘度値を測定した。この段階における溶媒成分に占める水と水溶性有機溶剤との比率Ｒ（水／水溶性有機溶剤）は３．７であった。その後、これらのインクを気温３０℃、湿度１０％の環境で撹拌しながら放置し、重量が約５０％になるまで放置乾燥を行った。沸点および蒸気圧との関係からこの温度条件で蒸発する溶媒成分は主に水であると考えられる。乾燥後、再度粒子径および粘度値を測定した。また、上述のように水が優先して蒸発したため、水と水溶性有機溶剤との比率Ｒは１．２まで減少していた。各インクにおける粒子径の変化分を表３に、また、粘度値の変化分を表４に示す。
【０１６５】
【表３】
2015104827.tif 000005
【０１６６】
【表４】
2015104827.tif 000006
【０１６７】
表３、表４からわかるように、シアンインク、マゼンタインクに比べ、イエローインクにおける水の減少前の減少後の間の粒子径の変化分、粘度値の変化分が相対的に大きくなった。これにしたがって、本実施形態では粒子径の変化分、粘度値の変化分が大きいイエローインクを水と水溶性有機溶剤の親和性が低いインクであると評価する。そのため、イエローインクを顔料の偏在特性が相対的に高いインクであると評価することができる。
【０１６８】
したがって、シアンインク、マゼンタインクは図１６（ａ）に示すマスクパターンを用いてドット連結度が低くなるように記録し、また、イエローインクは図１６（ｂ）に示すマスクパターンを用いてドット連結度が高くなるように記録する。
【０１６９】
以上の構成によれば、第１の実施形態と同様に、できる限り粒状感を抑制しつつ画像の発色性に優れた記録を行うことが可能となる。
【０１７０】
また、各実施形態では各インクに含有される顔料の偏在特性に応じて２つのインクグループに分割し、インクグループごとに適切なドット連結度のマスクパターンを適用する形態について記載したが、他の形態による実施も可能である。例えば、ドット連結度がより大きいマスクパターンを更に備え、各インクに含有される顔料の偏在特性に応じて３つのインクグループに分割し、インクグループごとに適切なドット連結度のマスクパターンを適用する形態であっても良い。
【０１７１】
また、以上で説明した第１から第４の実施形態ではマスクパターンを使用してドット連結度の制御を行っているが、本発明はそれぞれの画素ごとに記録を行うことが可能な手段を有していれば十分に適用することができ、その手段はマスクパターンに限定されるものではない。例えば、記録装置内に設けられた振りまき回路により画素ごとに記録データをそれぞれ複数の記録走査に対応する複数のバッファにシーケンシャルに振りまいて、各画素の記録をいずれの記録走査で記録するかを決定しても良い。上記の振りまき回路によれば、各画素に対してインクを何回目に吐出するかを制御することができる。すなわち、複数の隣接した画素に対し、同一の走査で吐出するように同一のバッファに振りまきを行えば、マスクパターンを使わずとも記録媒体上の隣接する位置に複数のインク滴を付与することができる。このように、振りまき回路を用いてドット連結度の制御を行う形態でも本発明の効果を得ることができる。
【符号の説明】
【０１７２】
３  記録媒体
７  記録ヘッド
２２  吐出口列
５４、５６  高発色領域
５５、５７  低発色領域
７１  顔料
７２  樹脂エマルジョン
８０  単位領域
【図１】
2015104827.tif 000007
【図２】
2015104827.tif 000008
【図３】
2015104827.tif 000009
【図４】
2015104827.tif 000010
【図５】
2015104827.tif 000011
【図６】
2015104827.tif 000012
【図７】
2015104827.tif 000013
【図８】
2015104827.tif 000014
【図９】
2015104827.tif 000015
【図１０】
2015104827.tif 000016
【図１１】
2015104827.tif 000017
【図１２】
2015104827.tif 000018
【図１３】
2015104827.tif 000019
【図１４】
2015104827.tif 000020
【図１５】
2015104827.tif 000021
【図１６】
2015104827.tif 000022
【図１７】
2015104827.tif 000023
【図１８】
2015104827.tif 000024